(57)【要約】      （修正有）【課題】レンズ台が携帯電話内に収納されてすっきりし、レンズ台が１８０度角度移動してレンズを携帯電話前端もしくは後端に切換、自分撮影するカメラ付携帯電話のレンズ方向転換装置。【解決手段】レンズ方向転換装置は、非折畳み式のカメラ付携帯電話の背面外縁端付近に納置凹槽を具え、納置凹槽の槽口は携帯電話の外縁へ通じる。レンズ台は、納置凹槽内二嵌入し、両側端にそれぞれ外向きに突出した枢設軸を納置凹槽の内側槽壁と枢設する。駆動ユニットはレンズ台の枢設軸を駆動し１８０度角度移動させる。駆動ユニットとレンズ台の枢設軸間は粘性油を媒介として結合し、レンズ台の位置を移動させ、主動方式で移動させることもできる。レンズ台の側面にレンズと連動する定位用補助ギアを固定し、補助ギア側面は弾性掛合部品と掛合し、レンズ台を移動する時、補助ギアは弾性掛合部品と掛合し続け、レンズ台を電動式、手動式に係わらず予定位置で定位させる。【選択図】図５
2006325195.tif 000002
【特許請求の範囲】
【請求項１】
カメラ付携帯電話のレンズ方向転換装置は、携帯電話背面の凹んだ納置凹槽内に嵌入し、納置凹槽の槽口は携帯電話外縁へ通じ、最上部両側端偏心箇所にはそれぞれ外方向へ突出し、納置凹槽内壁と枢設する枢設軸と枢設し、納置凹槽の槽口へ向かって位置移動し、携帯電話の後下端でレンズを固定するレンズ台と、
レンズ台を駆動する枢設軸を回転させ、レンズ台を位置移動させ、位置限定ユニットによって予定位置までの制動制御を受け、レンズ台下端に於いて、納置凹槽の槽口から携帯電話外側へ伸びた時、レンズが携帯電話の前方へ向かせる駆動ユニットを含むことを特徴とするカメラ付携帯電話のレンズ方向転換装置。
【請求項２】
請求項１記載のカメラ付携帯電話のレンズ方向転換装置において、前記駆動ユニットは、モーターを含み、モーターによって回転する渦巻き形桿をレンズ台一端の枢設軸上の渦巻き形ギアに差し込み、渦巻き形ギアの車輪孔と枢設軸の間に粘性油を充填し、渦巻き形ギアと渦巻き形桿が噛み合い、モーターによってレンズ台の枢設軸が回転し、レンズ台を制御して回転させることを特徴とするカメラ付携帯電話のレンズ方向転換装置。
【請求項３】
請求項１記載のカメラ付携帯電話のレンズ方向転換装置において、前記定位ユニットを別に設置し、その定位ユニットは、補助ギアとレンズ台を含んで固定連動し、弾性掛合部品は、補助ギアの歯面に面して突出し、錐凸部と歯面が相互に噛み合い、レンズ台定位効果を具えることを特徴とするカメラ付携帯電話のレンズ方向転換装置。
【請求項４】
請求項１記載のカメラ付携帯電話のレンズ方向転換装置において、前記位置限定ユニットは、レンズ台側面に第一センサーを固定し、レンズ台で回転する時、０と１８０度の二箇所固定位置に於いて、第一センサーと共に携帯電話内に於いて別に第二センサーを設置し、第一センサーと二個の第二センサーがそれぞれ接近すると、位置限定ユニットが駆動ユニットを制御して駆動を停止することを特徴とするカメラ付携帯電話のレンズ方向転換装置。
【請求項５】
請求項２記載のカメラ付携帯電話のレンズ方向転換装置において、前記渦巻き形ギアの側面は、枢設軸上で歯盤に差し込み、その歯盤と軸桿が連動し、且つバネに押し上げられて渦巻き形ギアと接触し、接触端両者には歯面を具え、その歯面が相互に噛み合うことを特徴とするカメラ付携帯電話のレンズ方向転換装置。
【請求項６】
請求項１記載のカメラ付携帯電話のレンズ方向転換装置において、前記納置凹槽の槽口は、携帯電話の最上端に通じることを特徴とするカメラ付携帯電話のレンズ方向転換装置。
【請求項７】
請求項１記載のカメラ付携帯電話のレンズ方向転換装置において、前記納置凹槽の槽口は、携帯電話の側面端に通じることを特徴とするカメラ付携帯電話のレンズ方向転換装置。
【発明の詳細な説明】
【技術分野】
【０００１】
本発明は、カメラ付携帯電話のレンズ方向転換装置に関するもので、レンズを携帯電話の背面に固定してあるものを、携帯電話の正面に回転させて自分を撮影することができるものである。
【背景技術】
【０００２】
公知のカメラ機能付第一種非折畳み式携帯電話は、レンズが固定式で、図１、２に示すように、レンズ１０は携帯電話の背面に位置し、使用者は携帯電話を手に持ち、且つレンズ１０を前方向に合わせてモニター１１に向かう。レンズ１０がつかみとった対象物がモニター１１上に映し出され、使用者は写真に写すのに必要な画面を調整する。しかし、このカメラ付携帯電話で自分を写したい時、鏡の前に立ち、携帯電話背面のレンズを鏡にうつった自分に合わせて写真を撮る。この型のカメラ付携帯電話は、自分撮影がしにくい。
【０００３】
別に図３，４に示すのは、第二種非折畳み式カメラ付携帯電話であるが、携帯電話の最上端に欠切口１２を具え、その欠切口１２内にレンズ台１３が嵌入される。このレンズ台１３両側端は枢設軸１３０で欠切口１２内壁と枢設され、レンズ台１３を弾いて回転し、レンズ１０を携帯電話前端もしくは後端に合わせ、レンズ１０が前向きの時、使用者は自分撮影ができる。ただ、この種のカメラ付携帯電話の正面最上端にはカメラ台１３が設置されるため、欠切口１２が存在し、その欠切口１２は携帯電話の正面に位置するため、携帯電話全体の美観が損なわれる。
【発明の開示】
【発明が解決しようとする課題】
【０００４】
本発明の主要目的は、非折畳み式カメラ付携帯電話のレンズを携帯電話の前端もしくは後端へ方向転換して使用し、前面撮影、もしくは自分撮影どちらで使用する時にもモニターを見ながら撮影できる。更に携帯電話の正面はレンズを収納することにより、美観が整う。
【０００５】
本発明の主要目的は、カメラ付携帯電話の背面外縁端に凹形状の納置凹槽を具え、その納置凹槽の槽口は携帯電話外縁へ通じる。レンズ台を納置凹槽に嵌入し、両側端には外向きに突出した枢設軸が納置凹槽の内側槽壁と枢設する。駆動ユニットは、レンズ台の枢設軸を駆動して１８０度角度移動させ、駆動ユニットとレンズ台の枢設軸の間は粘性油を媒介として結合し、レンズ台を駆動ユニットで外へ移動させる。また手動式で移動させることもできる。レンズ台の側面でレンズ台と共に連動する定位用の補助ギアが固定され、補助ギア側面には弾性掛合部品を具え、補助ギアと掛合し、レンズ台を移動させるとき、補助ギアが弾性掛合い部品と共に掛合し続け、レンズ台を伝動もしくは主動に係わらず、定位点で移動させる時、補助ギアと弾性部品が掛合し、レンズ台を予定位置で定位させる効果を具える。レンズを携帯電話背面に収納することにより、携帯電話を正面から見た時、美観を保ち、更にレンズ台が１８０度位置移動してレンズを携帯電話の前端もしくは後端へ回転切り換えし、自分撮影機能を提供する。
【課題を解決するための手段】
【０００６】
請求項１の発明は、カメラ付携帯電話のレンズ方向転換装置は、携帯電話背面の凹んだ納置凹槽内に嵌入し、納置凹槽の槽口は携帯電話外縁へ通じ、最上部両側端偏心箇所にはそれぞれ外方向へ突出し、納置凹槽内壁と枢設する枢設軸と枢設し、納置凹槽の槽口へ向かって位置移動し、携帯電話の後下端でレンズを固定するレンズ台と、
レンズ台を駆動する枢設軸を回転させ、レンズ台を位置移動させ、位置限定ユニットによって予定位置までの制動制御を受け、レンズ台下端に於いて、納置凹槽の槽口から携帯電話外側へ伸びた時、レンズが携帯電話の前方へ向かせる駆動ユニットを含むことを特徴とするカメラ付携帯電話のレンズ方向転換装置としている。
請求項２の発明は、請求項１記載のカメラ付携帯電話のレンズ方向転換装置において、前記駆動ユニットは、モーターを含み、モーターによって回転する渦巻き形桿をレンズ台一端の枢設軸上の渦巻き形ギアに差し込み、渦巻き形ギアの車輪孔と枢設軸の間に粘性油を充填し、渦巻き形ギアと渦巻き形桿が噛み合い、モーターによってレンズ台の枢設軸が回転し、レンズ台を制御して回転させることを特徴とするカメラ付携帯電話のレンズ方向転換装置としている。
請求項３の発明は、請求項１記載のカメラ付携帯電話のレンズ方向転換装置において、前記定位ユニットを別に設置し、その定位ユニットは、補助ギアとレンズ台を含んで固定連動し、弾性掛合い部品は、補助ギアの歯面に面して突出し、錐凸部と歯面が相互に噛み合い、レンズ台定位効果を具えることを特徴とするカメラ付携帯電話のレンズ方向転換装置としている。
請求項４の発明は、請求項１記載のカメラ付携帯電話のレンズ方向転換装置において、前記位置限定ユニットは、レンズ台側面に第一センサーを固定し、レンズ台で回転する時、０と１８０度の二箇所固定位置に於いて、第一センサーと共に携帯電話内に於いて別に第二センサーを設置し、第一センサーと二個の第二センサーがそれぞれ接近すると、位置限定ユニットが駆動ユニットを制御して駆動を停止することを特徴とするカメラ付携帯電話のレンズ方向転換装置としている。
請求項５の発明は、請求項２記載のカメラ付携帯電話のレンズ方向転換装置において、前記渦巻き形ギアの側面は、枢設軸上で歯盤に差し込み、その歯盤と軸桿が連動し、且つバネに押し上げられて渦巻き形ギアと接触し、接触端両者には歯面を具え、その歯面が相互に噛み合うことを特徴とするカメラ付携帯電話のレンズ方向転換装置としている。
請求項６の発明は、請求項１記載のカメラ付携帯電話のレンズ方向転換装置において、前記納置凹槽の槽口は、携帯電話の最上端に通じることを特徴とするカメラ付携帯電話のレンズ方向転換装置としている。
請求項７の発明は、請求項１記載のカメラ付携帯電話のレンズ方向転換装置において、前記納置凹槽の槽口は、携帯電話の側面端に通じることを特徴とするカメラ付携帯電話のレンズ方向転換装置としている。
【発明の効果】
【０００７】
本発明のカメラ付携帯電話のレンズ方向転換装置は、下述の利点がある。
１．ンズを載せるレンズ台３０が携帯電話２０の背面に収納され、携帯電話２０正面は凹凸がなく、美観が良い。
２．ンズ３２（レンズ台３０）の方向転換は電動式制御の他に、主動制御でもよい。
３．レンズ３２（レンズ台３０）が方向転換して位置移動し、停止した時、定位ユニット４０がレンズ台３０を定位する効果を具える。
【発明を実施するための最良の形態】
【０００８】
図５から図７は、本発明第一実施例の構造図であり、カメラ付携帯電話２０の背面の外縁に近い箇所に納置凹槽２１を具える。この納置凹槽２１の槽口は携帯電話最上縁まで通じる。
【０００９】
レンズ台３０は、納置凹槽２１内に嵌入される。形状及び体積は納置凹槽２１と同じである。両側偏心箇所各外突きには枢設軸３１が設置され、その枢設軸３１は納置凹槽２１内壁の軸孔内まで伸び、レンズ台３０を納置凹槽２１内に枢設する。枢設軸３１両端は各々支持台３３によって支えられる。レンズ台３０背面にレンズ３２を設置する。  
【００１０】
定位ユニット４０は、補助ギア４１を具え、レンズ台３０側面壁と固定する（一体成型でもよい）。補助ギア４１側面には弾性掛合い部品４２を設置し（鉄線が湾曲したもの）、弾性掛合い部品４２は補助ギア４１の歯面外凸向きに歯面と噛み合う錐凸部４２０を具える（図７、９参照）
【００１１】
駆動ユニット５０（図６、７参照）は、携帯電話キーが制御キーとなり、渦巻きギア５１を具えてレンズ台３０の枢設軸３１上に差し込む。渦巻きギア５１の車輪孔５１０と枢設軸３１は同じ形状で円形とする。この二者の間には粘着性油を充填する。渦巻きギア５１の渦巻き形歯５１１と渦巻き形桿５２の歯面は相互に噛み合い、渦巻き形桿５２はモーター５３により動き、同じ場所で回転する。
【００１２】
レンズ台３０の位置移動を制限するための位置限定ユニット６０（図６参照）は、レンズ台３０の一側面に第一センサー６１を設置し、枢設軸３１の支持台３３外縁の１８０度相対する位置にそれぞれ第一センサー６１と合う第二センサー６２が設置され（図６、７参照）、第一、第二センサー６１，６２が対応して接近する時、駆動ユニット５０のモーター５３を制御して回転を停止させる。また位置限定ユニット６０は電子式制御だけでなく、停止塊モジュールを設置して位置を限定することもできる。
【００１３】
上述部品を順に組み立てると、図６に示すとおりとなる。使用時、使用者が自分撮影する時、携帯電話のキーを押して駆動ユニット５０のモーター５３を作動し、渦巻き形桿５２で渦巻き形ギア５１を回転させる。渦巻き形ギア５１の車輪孔５１０と、レンズ台３０の枢設軸３１の間には粘性油を差し、渦巻き形ギア５１が駆動して回転を始めると、枢設軸３１が動き出して連動し、レンズ台３０が枢設軸３１を軸心として１８０度位置移動し、レンズ台３０が直立状になり（図９、１０参照）、この時第一、第二センサー６１，６２の二者は相互に接近し、モーター５３を止め、レンズ台３０上のレンズ３２を携帯電話背面位置から携帯電話前方へ回転させると、図６，９，１０のようになり、この状態になると、使用者は自分撮影ができる。別にレンズ台３０は、手で動かして位置移動できる。渦巻き形ギア５１の車輪孔５１０とレンズ台３０の枢設軸３１の間は固定接続せず、粘性油を連接媒介とし、手でレンズ台３０を動かして粘性油の抵抗力で位置移動する。レンズ台３０は手動式でも位置移動できる。またレンズ台３０位置移動の過程もしくは停止時、レンズ台３０と固定設置した補助ギア４１の歯面は常に弾性掛合部品４２の錐凸部４２０と掛合し、レンズ台３０に対して常に定位効果を具える。
【００１４】
使用者が前方の対象物をカメラ撮影する時、携帯電話キーで駆動ユニット５０を制御し、レンズ台３０を戻して納置凹槽２１内に戻し入れて収納するか、もしくは手でレンズ台３０を動かし、レンズ台３０を携帯電話背面の納置凹槽２１内に収納すると、図１１のようになる。この時、レンズ３２が携帯電話背面に向け、使用者前方の対象物を撮影する。
【００１５】
図１２、１３に示すのは、第二実施例の構造図であり、第一実施例と異なる主な点は、レンズ台３０の枢設軸３１に於いて、駆動ユニット５０の渦巻き形ギア５１の車輪孔５１０内に入れるのが円形外径外である他に、渦巻き形ギア５１と補助ギア４１の間のこの段を多辺形（例として六角形）とする。更にこの二者間の枢設軸３１上にバネ５４及びバネ５４に押されて渦巻き形ギアと接触する歯盤５５を設置する。この歯盤５５と枢設軸３１は同体で連動し、歯盤５５と渦巻き形ギア５１が相互に接触する端面には各々歯面５５０、５１０を具えて相互に噛み合う（図１３参照）。枢設軸３１と渦巻き形ギア５１の車輪孔５１０の間の粘性油が一定期間使用すると、粘性が弱まるため、バネ５４で歯盤５５と渦巻き形ギア５１をかみ合わせる。モーター５３の渦巻き形桿５２が渦巻きギア５１を伝動して回転する時、渦巻き形ギア５１は歯盤５５を伝動して回転し、枢設軸３１を動かし、レンズ台３０を一緒に連動し、粘性油の粘性が弱まった時に枢設軸３１、レンズ台３０の位置移動に問題が発生するのを防止する。手動方式でレンズ台３０を位置移動させる時、バネ５４の弾力より強い力で行えば、レンズ台３０が位置移動でき、またモーター５３の機能も保護できる。レンズ台３０の側面には補助ギア４１及び弾性掛合部品４２の錐凸部４２０と保護ギア４１歯面は噛み合い、レンズ３０を定位位置に移動させる時、錐凸部４２０は補助ギア４１とずっと噛み合い、レンズ台３０に対して位置移動後も定位する機能を具える。
【００１６】
別に図１４から図１６に示すとおり、レンズ台３０を収納するため、携帯電話背面の納置凹槽２１位置に、槽口が携帯電話２０上方外に通じる他に、槽口を携帯電話２０側面端へ設置して使用する。
【図面の簡単な説明】
【００１７】
【図１】公知第一種非折畳み式カメラ付携帯電話の正面図である。
【図２】公知第一種非折畳み式カメラ付携帯電話の背面図である。
【図３】公知第二種非折畳み式カメラ付携帯電話の正面図である。
【図４】公知第二種非折畳み式カメラ付携帯電話の側面図である。
【図５】本発明第一実施例の立体図である。
【図６】本発明第一実施例の構造正面図である。
【図７】本発明第一実施例の部分分解図である。
【図８】本発明第一実施例の構造平面図である。
【図９】本発明第一実施例の構造側面図である。
【図１０】本発明第一実施例の操作使用側面図一である。
【図１１】本発明第一実施例の操作使用側面図二である。
【図１２】本発明第二実施例の駆動ユニット構造図である。
【図１３】本発明第二実施例の駆動ユニット分解図である。
【図１４】本発明第三実施例の背面図である。
【図１５】本発明第三実施例の平面図である。
【図１６】本発明第三実施例の正面図である。
【符号の説明】
【００１８】
１０        レンズ
１１        モニター
１２        欠切口
１３        レンズ台
１３０      枢設軸
２０        カメラ付携帯電話
２１        納置凹槽
３１        枢設軸
３２        レンズ
３３        支持台
４０        定位ユニット
４１        補助ギア
４２        弾性掛合い部品
４２０      錐凸部
５０        駆動ユニット
５１        渦巻き形ギア
５１０      車輪孔
５１１      渦巻き形歯
５２        渦巻き桿
５３        モーター
５４        バネ
５５        歯盤
５５０      歯面
６０        位置限定ユニット
６１        第一センサー
６２        第二センサー
【図１】
2006325195.tif 000003
【図２】
2006325195.tif 000004
【図３】
2006325195.tif 000005
【図４】
2006325195.tif 000006
【図５】
2006325195.tif 000007
【図６】
2006325195.tif 000008
【図７】
2006325195.tif 000009
【図８】
2006325195.tif 000010
【図９】
2006325195.tif 000011
【図１０】
2006325195.tif 000012
【図１１】
2006325195.tif 000013
【図１２】
2006325195.tif 000014
【図１３】
2006325195.tif 000015
【図１４】
2006325195.tif 000016
【図１５】
2006325195.tif 000017
【図１６】
2006325195.tif 000018